(57)【特許請求の範囲】
【請求項１】
インターネットを介して複数の番組に対応する第１の番組情報を取得する第１取得部と、
前記第１の番組情報を用いて第１番組表を表示部に表示する表示制御部と、
前記第１番組表から操作部によって指定される番組を前記表示制御部に出力する出力部と、
視聴中の番組に対応する第２の番組情報を放送波を介して取得する第２取得部とを備え、
前記表示制御部は、前記第１番組表の表示後に、前記表示部に、前記第１の番組情報と前記第２の番組情報とを用いて、第２番組表を表示するものであって、
前記第２番組表に含まれる番組のうち、視聴していない番組の番組情報は、前記第１の番組情報を用いて生成され、
前記第２番組表に含まれる番組のうち、視聴中の番組の番組情報は、前記第２の番組情報を用いて生成される電子機器。
【請求項２】
視聴中の番組は、前記表示部において再生され、
前記表示制御部は、視聴中の番組と、前記第２番組表の少なくとも一部を同時に前記表示部へ表示する請求項１に記載の電子機器。
【請求項３】
外部から電力を受ける外部電源受給部を備え、
外部からの電力が供給されている場合は、前記第２取得部は、視聴中の番組に対応する第２の番組情報のみならず、視聴中以外の少なくとも１つの番組に対応する第３の番組情報も放送波を介して取得する請求項１または請求項２のいずれかに記載の電子機器。
【請求項４】
前記表示制御部は、前記第１取得部によってインターネットを介して取得した番組情報か、前記第２取得部によって放送波を介して取得した番組情報かの少なくとも一方を識別可能な情報を、前記第２番組表とあわせて表示する請求項１乃至請求項３のいずれかに記載の電子機器。
【請求項５】
インターネットを介して複数の番組に対応する第１の番組情報を取得するステップと、
前記第１の番組情報を用いて第１番組表を表示部に表示するステップと、
前記第１番組表から操作部によって指定される番組を表示制御部に出力するステップと、
視聴中の番組に対応する第２の番組情報を放送波を介して取得するステップとを備え、
前記表示するステップは、前記表示制御部が、前記第１番組表の表示後に、前記表示部に、前記第１の番組情報と前記第２の番組情報とを用いて、第２番組表を表示するものであって、
前記第２番組表に含まれる番組のうち、視聴していない番組の番組情報は、前記第１の番組情報を用いて生成され、
前記第２番組表に含まれる番組のうち、視聴中の番組の番組情報は、前記第２の番組情報を用いて生成される電子機器の制御方法。
【請求項６】
視聴中の番組は、前記表示部において再生され、
前記表示するステップは、視聴中の番組と、前記第２番組表の少なくとも一部を同時に前記表示部へ表示する請求項５に記載の電子機器の制御方法。
【請求項７】
外部から電力を受けるステップを備え、
外部からの電力が供給されている場合は、前記第２の番組情報を取得するステップは、視聴中の番組に対応する第２の番組情報のみならず、視聴中以外の少なくとも１つの番組に対応する第３の番組情報も放送波を介して取得する請求項５または請求項６のいずれかに記載の電子機器の制御方法。
【請求項８】
前記表示するステップは、前記第１の番組情報を取得するステップによってインターネットを介して取得した番組情報か、前記第２の番組情報を取得するステップによって放送波を介して取得した番組情報かの少なくとも一方を識別可能な情報を、前記第２番組表とあわせて表示する請求項５乃至請求項７のいずれかに記載の電子機器の制御方法。
【請求項９】
インターネットを介して複数の番組に対応する第１の番組情報を取得するステップと、
前記第１の番組情報を用いて第１番組表を表示部に表示するステップと、
前記第１番組表から操作部によって指定される番組を表示制御部に出力するステップと、
視聴中の番組に対応する第２の番組情報を放送波を介して取得するステップとを備え、
前記表示するステップは、前記表示制御部が、前記第１番組表の表示後に、前記表示部に、前記第１の番組情報と前記第２の番組情報とを用いて、第２番組表を表示するものであって、
前記第２番組表に含まれる番組のうち、視聴していない番組の番組情報は、前記第１の番組情報を用いて生成され、
前記第２番組表に含まれる番組のうち、視聴中の番組の番組情報は、前記第２の番組情報を用いて生成される電子機器を制御する電子機器の制御プログラム。
【請求項１０】
視聴中の番組は、前記表示部において再生され、
前記表示するステップは、視聴中の番組と、前記第２番組表の少なくとも一部を同時に前記表示部へ表示する請求項９に記載の電子機器の制御プログラム。
【請求項１１】
外部から電力を受けるステップを備え、
外部からの電力が供給されている場合は、前記第２の番組情報を取得するステップは、視聴中の番組に対応する第２の番組情報のみならず、視聴中以外の少なくとも１つの番組に対応する第３の番組情報も放送波を介して取得する請求項９または請求項１０のいずれかに記載の電子機器の制御プログラム。
【請求項１２】
前記表示するステップは、前記第１の番組情報を取得するステップによってインターネットを介して取得した番組情報か、前記第２の番組情報を取得するステップによって放送波を介して取得した番組情報かの少なくとも一方を識別可能な情報を、前記第２番組表とあわせて表示する請求項９乃至請求項１１のいずれかに記載の電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、タブレットＰＣ等の携帯可能な電子機器（モバイル端末）が普及している。また、携帯可能な電子機器の中には、例えば、放送を受信し、テレビ放送等の視聴が可能な製品も普及しつつある。
【０００３】
一般に、これらの携帯可能な電子機器（モバイル端末）は、例えば、駆動電源として利用可能なバッテリを備えている。
【０００４】
しかし、バッテリに蓄積される電力は有限であり、電子機器（モバイル端末）の電力消費を低減したいという要求がある。
【０００５】
また、上記テレビ放送等の視聴の際には、例えば、ユーザに番組情報を提供すると利便性が向上する。
【０００６】
しかし、チューナを使用し、テレビ放送等から番組情報を取得すると、例えば、このチューナの使用時間に比例して、バッテリに蓄積された電力の消費量が増加してしまう恐れがあり、上記電子機器（モバイル端末）の電力消費を低減したいという要求に反してしまう。
【０００７】
このため、ユーザの利便性を向上させつつ、電子機器の電力消費を低減させることが課題になっていた。
【先行技術文献】
【特許文献】
【０００８】
【特許文献１】特開２００８−２５２４４７号公報
【発明の概要】
【発明が解決しようとする課題】
【０００９】
ユーザの利便性を向上させつつ、電子機器の電力消費を低減させることが課題になっていた。
【課題を解決するための手段】
【００１０】
実施形態の電子機器は、インターネットを介して複数の番組に対応する第１の番組情報を取得する第１取得部を備える。
【００１１】
また、前記第１の番組情報を用いて第１番組表を表示部に表示する表示制御部を備える。
【００１２】
また、前記第１番組表から操作部によって指定される番組を前記表示制御部に出力する出力部を備える。
【００１３】
また、視聴中の番組に対応する第２の番組情報を放送波を介して取得する第２取得部とを備え、前記表示制御部は、前記第１番組表の表示後に、前記表示部に、前記第１の番組情報と前記第２の番組情報とを用いて、第２番組表を表示するものであって、前記第２番組表に含まれる番組のうち、視聴していない番組の番組情報は、前記第１の番組情報を用いて生成され、前記第２番組表に含まれる番組のうち、視聴中の番組の番組情報は、前記第２の番組情報を用いて生成される。
【図面の簡単な説明】
【００１４】
【図１】実施形態に係わる電子機器（タブレットＰＣ）の外観を示す図。
【図２】実施形態に係わる電子機器（タブレットＰＣ）の構成の一例を示すブロック図。
【図３】実施形態に係わる電子機器（タブレットＰＣ）において、インターネットを介して取得された番組情報を用いて作成された電子番組表を表示する例および、この電子番組表から指定された番組の放送を受信し、番組情報を取得して出力表示する例を示す図。
【図４】実施形態に係わる電子機器（タブレットＰＣ）の動作を説明するフローチャート。
【図５】他の実施形態に係わる、外部から電源が供給される電子機器（タブレットＰＣ）の外観を示す図。
【図６】他の実施形態に係わる、外部から電源が供給される電子機器（タブレットＰＣ）の動作を説明するフローチャート。
【図７】他の実施形態に係わる、番組情報が記憶されている場合の電子機器（タブレットＰＣ）の動作を説明するフローチャート。
【発明を実施するための形態】
【００１５】
以下、図面を参照し、実施の形態を説明する。
【００１６】
図１は、実施形態に係わる電子機器（タブレットＰＣ）の外観を示す図である。
【００１７】
この実施形態においては、電子機器（タブレットＰＣ）１０は、番組情報の取得指示を受信した場合に、番組情報をサーバ２７から、インターネット２６を介して取得する。
【００１８】
そして、後述するように、このインターネット２６を介して取得された番組情報を用いて電子番組表を作成し、例えば、映像表示部（ＬＣＤ）１７に出力する。
【００１９】
また、上記出力された電子番組表から指定された番組の放送を、例えば、アンテナ２で受信し、出力する。
【００２０】
また、上記受信している放送から上記番組の番組情報を取得し、例えば、映像表示部（ＬＣＤ）１７に出力する。
【００２１】
なお、ここでは、電子機器１０の一例としてタブレットＰＣを用いて説明を行うが、これに限られることはなく、この実施形態は、ノート型のパーソナルコンピュータ（ＰＣ）、スマートフォン、携帯電話等の電子機器、携帯型のテレビ等に適用することも可能である。
【００２２】
図２は、実施形態に係わる電子機器（タブレットＰＣ）の構成の一例を示すブロック図である。
【００２３】
この電子機器（タブレット）１０は、ＣＰＵ（central processing unit）１０１、ノースブリッジ１０２、主メモリ１０３、サウスブリッジ１０４、ＧＰＵ（Graphics Processing Unit）１０５、ＶＲＡＭ（ビデオＲＡＭ:random access memory）１０５Ａ、サウンドコントローラ１０６、ＢＩＯＳ−ＲＯＭ（basic input/output system-read only memory）１０７、ＬＡＮ（local area network）コントローラ１０８、ハードディスクドライブ（ＨＤＤ（記憶装置））１０９、光ディスクドライブ（ＯＤＤ）１１０、ＵＳＢコントローラ１１１Ａ、カードコントローラ１１１Ｂ、無線ＬＡＮコントローラ１１２、エンベデッドコントローラ／キーボードコントローラ（ＥＣ／ＫＢＣ）１１３、ＥＥＰＲＯＭ（electrically erasable programmable ROM）１１４等を備えている。
【００２４】
ＣＰＵ１０１は、電子機器（タブレット）１０内の各部の動作を制御するプロセッサである。
【００２５】
ＣＰＵ１０１は、ＢＩＯＳ−ＲＯＭ１０７に格納されたＢＩＯＳを実行する。ＢＩＯＳは、ハードウェア制御のためのプログラムである。
【００２６】
ノースブリッジ１０２は、ＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、例えば、PCI EXPRESS規格のシリアルバスなどを介してＧＰＵ１０５との通信を実行する機能も有している。
【００２７】
ＧＰＵ１０５は、電子機器（タブレット）１０のディスプレイモニタとして使用される映像表示部（ＬＣＤ）１７を制御する表示コントローラである。
【００２８】
このＧＰＵ１０５によって生成される表示信号は映像表示部（ＬＣＤ）１７に送られる。また、ＧＰＵ１０５は、ＨＤＭＩ制御回路３およびＨＤＭＩ端子２を介して、外部ディスプレイ１にデジタル映像信号を送出することもできる。
【００２９】
ＨＤＭＩ端子２は、前述の外部ディスプレイ接続端子である。ＨＤＭＩ端子２は、非圧縮のデジタル映像信号とデジタルオーディオ信号とを１本のケーブルでテレビのような外部ディスプレイ１に送出することができる。ＨＤＭＩ制御回路３は、ＨＤＭＩモニタと称される外部ディスプレイ１にデジタル映像信号を、ＨＤＭＩ端子２を介して送出するためのインタフェースである。
【００３０】
サウスブリッジ１０４は、ＰＣＩ（Peripheral Component Interconnect）バス上の各デバイス及びＬＰＣ（Low Pin Count）バス上の各デバイスを制御する。また、サウスブリッジ１０４は、ＨＤＤ１０９及びＯＤＤ１１０を制御するためのＩＤＥ（Integrated Drive Electronics）コントローラを内蔵している。
【００３１】
さらに、サウスブリッジ１０４は、サウンドコントローラ１０６との通信を実行する機能も有している。
【００３２】
サウンドコントローラ１０６は音源デバイスであり、再生対象のオーディオデータをスピーカ１８Ａ，１８ＢまたはＨＤＭＩ制御回路３に出力する。ＬＡＮコントローラ１０８は、例えばＩＥＥＥ８０２．３規格の有線通信を実行する有線通信デバイスであり、一方、無線ＬＡＮコントローラ１１２は、例えばＩＥＥＥ８０２．１１ｇ規格の無線通信を実行する無線通信デバイスである。ＵＳＢコントローラ１１１Ａは、（ＵＳＢコネクタ１９を介して接続される）例えばＵＳＢ２．０規格に対応した外部機器との通信を実行する。
【００３３】
例えば、ＵＳＢコントローラ１１１Ａは、例えば、デジタルカメラに格納されている画像データファイルを受信するために使用される。カードコントローラ１１１Ｂは、コンピュータ（ノートＰＣ）本体１１に設けられたカードスロットに挿入される、ＳＤカードのようなメモリカードに対するデータの書き込み及び読み出しを実行する。
【００３４】
ＥＣ／ＫＢＣ１１３は、電力管理のためのエンベデッドコントローラと、キーボード１３及びタッチパッド１６を制御するためのキーボードコントローラとが集積された１チップマイクロコンピュータである。ＥＣ／ＫＢＣ１１３は、ユーザによるパワーボタン１４の操作に応じて電子機器（タブレット）１０を電源オン／電源オフする機能を有している。
【００３５】
この実施の形態における表示制御は、例えばＣＰＵ１０１が主メモリ１０３やＨＤＤ１０９等に記録されたプログラムを実行させることにより行われる。
【００３６】
なお、上記説明は一例であり、この実施形態に係る電子機器は、上記構成とは異なるハードウェアで構成することも可能である。
【００３７】
図３は、実施形態に係わる電子機器（タブレットＰＣ）において、インターネットを介して取得された番組情報を用いて作成された電子番組表を表示する例および、この電子番組表から指定された番組の放送を受信し、番組情報を取得して出力表示する例を示す図である。
【００３８】
ここで、この実施形態に係る番組情報の説明をする。
【００３９】
ここでは、番組情報とは、例えば、放送番組を表示する放送番組表を、テレビ <http://ja.wikipedia.org/wiki/%E3%83%86%E3%83%AC%E3%83%93%E5%8F%97%E5%83%8F%E6%A9%9F>の画面などに表示出力するシステム（電子番組表、またはＥＰＧ（Ｅｌｅｃｔｒｏｎｉｃ  Ｐｒｏｇｒａｍ  Ｇｕｉｄｅ）等で用いられる情報である。
【００４０】
すなわち、電子番組表は、テレビやラジオなどの放送局が放送する番組を、表形式でまとめた情報である。
【００４１】
電子番組表には、例えば、番組の名前と番組の開始・終了時刻が記載され、さらに、出演者の名前（パーソナリティの名前）、モノラル・ステレオ・二カ国語放送等の区別、字幕の有無、新番組 <http://ja.wikipedia.org/w/index.php?title=%E6%96%B0%E7%95%AA%E7%B5%84&action=edit&redlink=1>か、特別番組か等が記載されることがある。
【００４２】
また、映画やドラマなどの場合は制作された国や団体名と年、催し物情報等が記載されることもある。
【００４３】
また、あらすじやニュースの解説等、放送番組の説明や解説等が記載されることもある。
【００４４】
これらの放送番組に係わる情報が番組情報である。
【００４５】
図３（ａ）は、実施形態に係わる電子機器（タブレットＰＣ）において、インターネットを介して取得された番組情報を用いて作成された電子番組表を表示する例を示す図である。
【００４６】
そして、この図３（ａ）では、電子機器（タブレットＰＣ）１０は、特に図示しないが、例えば、タッチパッドや表示画面のタッチセンサ等のユーザ操作により、番組情報の取得指示を受信した場合に、上記のように、番組情報をサーバ２７から、インターネット２６を介して取得する。
【００４７】
そして、このインターネット２６を介して取得された番組情報を用いて電子番組表を作成し、映像表示部（ＬＣＤ）１７に表示出力する。
【００４８】
すなわち、ここでは、上記作成された電子番組表が上記映像表示部（ＬＣＤ）１７に出力表示されている。
【００４９】
また、ここでは、上記映像表示部（ＬＣＤ）１７に、情報ソース表示３１ａが表示出力され、上記電子番組表の作成に用いられた番組情報がサーバから取得されたことを示している。
【００５０】
また、ここでは、上記電子番組表の中央やや上部に示すように、上記出力された電子番組表から、ユーザによって、「００野球中継」３００が指定されている。
【００５１】
そして、電子機器（タブレットＰＣ）１０は、この指定された番組（「００野球中継」３００）の放送を、例えば、アンテナ２およびチューナ２１で受信し、出力する。
【００５２】
図３（ｂ）は、また、上記図３（ａ）に示す電子番組表からユーザによって指定された番組の放送（この番組を放送する放送局の放送）を上記アンテナ２およびチューナ２１で受信し、映像表示部（ＬＣＤ）１７に表示出力する。
【００５３】
しかし、この例では、図３（ｂ）に示すように、上記ユーザによって指定された番組（「００野球中継」３００）とは異なる放送番組（「緊急特番」）が表示出力されている。
【００５４】
これは、上記のような、インターネット２６上のサーバ２７に記憶されている番組情報は、例えば、スポーツ中継の延長放送や緊急特番への追従が、必ずしも簡単ではないことを考慮している。
【００５５】
このため、この実施形態においては、実際に放送されている番組（「緊急特番」）と合致するように、視聴中の番組の番組情報（例えば、あらすじやニュースの解説等の番組情報）は、視聴中の番組を放送する放送波から取得する。
【００５６】
すなわち、この実施形態においては、図３（ｂ）に示すように、上記ユーザによって指定された番組（「００野球中継」３００）とは異なる放送番組（「緊急特番」）が表示出力されている場合において、実際に放送されている番組（「緊急特番」）と合致するように、視聴中の番組の番組情報（例えば、あらすじやニュースの解説等の番組情報）を視聴中の番組を放送する放送波から取得し、例えば、映像表示部（ＬＣＤ）１７に、上記実際に放送されている番組（「緊急特番」）と並べ、同時に、表示出力する。
【００５７】
ここでは、視聴中の番組の番組情報は、「緊急特番」、「番組情報」、「○○山で○○氏を含む○○人遭難」、「○時○分現在、○○山は立ち入り禁止になっています。」、「  山頂の登山客は・・・」等と表示出力されている。
【００５８】
また、この実施形態においては、この視聴中の番組の番組情報が放送から取得された情報である旨を示す表示、情報ソース表示３１ｂが上記番組情報に並べて表示されている。
【００５９】
図４は、実施形態に係わる電子機器（タブレットＰＣ）の動作を説明するフローチャートである。
【００６０】
ステップＳ１００は、ここでの開始ステップである。続いて、ステップＳ１０１に進む。
【００６１】
ステップＳ１０１は、電子機器（タブレットＰＣ）１０の電源をＯＮにするステップである。続いて、ステップＳ１０２に進む。
【００６２】
ステップＳ１０２は、上記電子番組表に係る番組情報の取得指示があるかを判別するステップである。上記電子番組表に係る番組情報の取得指示があると判別される場合は、ステップＳ１０３に進む（Ｙｅｓ）。上記電子番組表に係る番組情報の取得指示がないと判別される場合は、ここでの処理を繰り返す（Ｎｏ）。
【００６３】
ステップＳ１０３は、上記のように、インターネット２７を介してサーバ２７から番組情報取得するステップである。続いて、ステップＳ１０４に進む。
【００６４】
ステップＳ１０４は、上記取得された番組情報を用いて電子番組表を作成し、映像表示部１７に表示出力するステップである。続いて、ステップＳ１０５に進む。
【００６５】
ステップＳ１０５は、上記のように、ユーザは表示された電子番組表から所望の番組を指定するステップである。続いて、ステップＳ１０６に進む。
【００６６】
ステップＳ１０６は、例えば、ユーザによって、番組は指定されたかを判別するステップである。番組は指定されたと判別される場合は、ステップＳ１０７に進む（Ｙｅｓ）。番組は指定されないと判別される場合は、ここでの処理を繰り返す（Ｎｏ）。
【００６７】
ステップＳ１０７は、例えば、上記ユーザに指定された番組の放送をチューナ２１で受信し、映像表示部１７に表示出力するステップである。続いて、ステップＳ１０８に進む。
【００６８】
ステップＳ１０８は、上記受信している放送から番組情報（例えば、あらすじやニュースの解説等の番組情報）を取得するステップである。続いて、ステップＳ１０９に進む。
【００６９】
ステップＳ１０９は、上記番組情報（例えば、あらすじやニュースの解説等の番組情報）は取得されたかを判別するステップである。上記番組情報は取得されたと判別される場合は、ステップＳ１１０に進む（Ｙｅｓ）。上記番組情報は取得されないと判別される場合は、ここでの処理を繰り返す（Ｎｏ）。
【００７０】
ステップＳ１１０は、上記取得された番組情報（例えば、あらすじやニュースの解説等の番組情報）を、上記受信番組と並べて映像表示部１７に表示出力するステップである。続いて、ステップＳ１１１に進む。
【００７１】
ステップＳ１１１は、終了ステップであり、ここでの処理は終了する。
【００７２】
すなわち、この実施形態においては、電子機器（タブレットＰＣ）１０は、電子番組表の表示に係るデータは、上記のように、インターネット２６上のサーバ２７等から取得する。
【００７３】
しかし、上記のように、インターネット２６上のサーバ２７に記憶される番組情報（例えば、あらすじやニュースの解説等の番組情報）は、例えば、スポーツ中継の延長放送や緊急特番への追従が容易ではないことが多い。
【００７４】
このため、視聴中の番組の番組情報（例えば、あらすじやニュースの解説等の番組情報）は、上記のように放送波から取得した情報を表示する。
【００７５】
ここで、この実施形態を、例えば、チューナが１つ（１チューナ）である電子機器（タブレットＰＣ）と比較する。
【００７６】
この１チューナの電子機器（タブレットＰＣ）において、例えば、受信可能な全ての放送局（チャンネル）の番組表情報を取得するとする。
【００７７】
この際は、１チューナであることから、電子機器（タブレットＰＣ）は、例えば、テレビ視聴を行ってない時に４０分程度、このチューナに電源供給し続けなければならない。
【００７８】
しかし、これでは、バッテリに蓄積された電力が上記番組表情報の取得に費やされてしまう。
【００７９】
そこで、この実施形態においては、上記のように構成することにより、チューナ２１の使用時間を低減し、これにより、電子機器（モバイル端末）１０の電力消費を低減することが可能になる。
【００８０】
また、例えば、視聴中の番組の番組情報（例えば、あらすじやニュースの解説等の番組情報）を放送波から取得し、表示することで、テレビ放送等の視聴の際には、ユーザに番組情報（例えば、あらすじやニュースの解説等の番組情報）を提供し、利便性を向上させることが可能になる。
【００８１】
これにより、ユーザの利便性の低下を防止しつつ、電力消費を低減可能にすることが可能になる。
【００８２】
図５は、他の実施形態に係わる、外部から電源が供給される電子機器（タブレットＰＣ）の外観を示す図である。
【００８３】
ここでは、上記図１に示す電子機器（タブレットＰＣ）１０に対し、商用電源等の外部電源から電源供給を受けることが可能な電源プラグ５１を備えている。
【００８４】
そして、この電源プラグ５１を、例えば、商用電源に差し込み、電源供給を受けることが可能である。
【００８５】
図６は、他の実施形態に係わる、外部から電源が供給される電子機器（タブレットＰＣ）の動作を説明するフローチャートである。
【００８６】
ステップＳ２００は、ここでの開始ステップである。続いて、ステップＳ２０１に進む。
【００８７】
ステップＳ２０１は、電子機器（タブレットＰＣ）１０の電源をＯＮにするステップである。続いて、ステップＳ２０２に進む。
【００８８】
ステップＳ２０２は、上記のように外部電源（例えば、商用電源）は供給されているかを判別するステップである。外部電源（例えば、商用電源）は供給されていると判別される場合は、ステップＳ２０３に進む（Ｙｅｓ）。外部電源（例えば、商用電源）は供給されていないと判別される場合は、ステップＳ２０５に進む（Ｎｏ）。
【００８９】
ステップＳ２０３は、チューナ２１で、複数の放送局の放送を、例えば、順次受信し、各放送局から送信される番組情報を取得するステップである。続いて、ステップＳ２０４に進む。
【００９０】
ステップＳ２０４は、上記取得した情報を、例えば、ＥＥＰＲＯＭ１１４に記憶するステップである。続いて、ステップＳ２０５に進む。
【００９１】
ステップＳ２０５は、終了ステップであり、ここでの処理は終了する。
【００９２】
図７は、他の実施形態に係わる、番組情報が記憶されている場合の電子機器（タブレットＰＣ）の動作を説明するフローチャートである。
【００９３】
ステップＳ３００は、開始ステップである。続いて、ステップＳ３０１に進む。
【００９４】
ステップＳ３０１は、電子機器（タブレットＰＣ）１０の電源をＯＮにするステップである。続いて、ステップＳ３０２に進む。
【００９５】
ステップＳ３０２は、上記電子番組表の表示指示があるかを判別するステップである。電子番組表の表示指示があると判別される場合は、ステップＳ３０３に進む（Ｙｅｓ）。電子番組表の表示指示がないと判別される場合は、ここでの処理を繰り返す（Ｎｏ）。
【００９６】
ステップＳ３０３は、例えば、上記ＥＥＰＲＯＭ１１４に、上記取得された番組情報は記憶されているかを判別するステップである。上記取得された番組情報が記憶されていると判別される場合は、ステップＳ３０４に進む（Ｙｅｓ）。上記取得された番組情報が記憶されていないと判別される場合は、ステップＳ３０５に進む（Ｎｏ）。
【００９７】
ステップＳ３０４は、電子機器（タブレットＰＣ）１０が、ＥＥＰＲＯＭ１１４に記憶されている番組情報を用いて番組表を作成し、映像表示部１７に表示出力するステップである。続いて、ステップＳ３０５に進む。
【００９８】
ステップＳ３０５は、終了ステップであり、ここでの処理は終了する。
【００９９】
このように構成することにより、この実施形態においては、外部電源が供給されている場合に、例えば、この外部電源を用いてチューナ２１を動作させて番組情報を取得し、予め、ＥＥＰＲＯＭ１１４に記憶されることが可能になる。
【０１００】
また、このように、チューナ２１を用いて取得した番組情報を利用し、電子番組表を作成し、表示出力することも可能である。
【０１０１】
なお、この実施形態においても、上記と同様に、ユーザの利便性を向上させつつ、バッテリ駆動時における電子機器の電力消費を低減させることが可能になる。
【０１０２】
すなわち、この実施形態に係る電子機器（タブレットＰＣ）１０は、番組情報の取得指示を受信した場合に、インターネット２６を介して取得する番組情報取得部（ＣＰＵ１０１等）を備える。
【０１０３】
また、上記インターネットを介して取得された番組情報を用いて番組表を作成し、出力する番組表出力部（ＣＰＵ１０１等）を備える。
【０１０４】
また、上記出力された番組表から指定された番組の放送を受信し、出力する番組出力部（ＣＰＵ１０１等）を備える。
【０１０５】
また、上記受信している放送から上記番組の番組情報を取得し、出力する番組情報出力部（ＣＰＵ１０１等）を備える。
【０１０６】
また、上記番組情報を上記受信番組と並べて映像表示部１７に表示出力する。
【０１０７】
また、特に図示しないが、電源を供給可能なバッテリを備える。
【０１０８】
また、上記インターネット２６を介して取得される番組情報は、例えば、外部サーバ２７から取得される情報である。
【０１０９】
また、外部から供給される電源を受給可能な外部電源受給部（電源プラグ５１等）を備え、上記外部からの電源が供給されている場合は、複数の放送局の放送を受信し、上記複数の放送局の番組情報を取得する。
【０１１０】
また、この電子機器１０は、上記取得された複数の放送局の番組情報を用いて番組情報を作成し、出力する（ＣＰＵ１０１等）。
【０１１１】
また、上記番組の番組情報が、放送から取得された旨を示す表示（情報ソース３１ｂ）を出力する表示出力部を備える。
【０１１２】
上記のように構成することによって、この実施の形態においては、ユーザの利便性を向上させつつ、電子機器の電力消費を低減させることが可能になる。
【０１１３】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１１４】
なお、上記実施形態は、記述そのものに限定されるものではなく、実施段階では、その趣旨を逸脱しない範囲で、構成要素を種々変形して具体化することが可能である。
【０１１５】
また、上記実施形態に開示されている複数の構成要素の適宜な組み合せにより種々の発明を形成できる。
【０１１６】
例えば、実施形態に示される全構成要素から幾つかの構成要素を削除してもよい。更に、異なる実施形態に亘る構成要素を適宜組み合せてもよい。
【符号の説明】
【０１１７】
２…アンテナ、１０…電子機器（タブレットＰＣ）、１７…映像表示部（ＬＣＤ）、２１…チューナ、２６…インターネット、２７…サーバ。
【図１】
0005330557.tif 000002
【図２】
0005330557.tif 000003
【図３】
0005330557.tif 000004
【図４】
0005330557.tif 000005
【図５】
0005330557.tif 000006
【図６】
0005330557.tif 000007
【図７】
0005330557.tif 000008